(57)【要約】【目的】現像スリーブと層厚規制部材の接触若しくは衝突した際に層厚規制部材の移動を防止し、ＳＢギャップを一定に保つことで、出荷時における欠陥品の発生を抑制することができる現像装置を提供すること。【構成】少なくとも現像剤担持体と、前記現像剤担持体上に担持された現像剤の層厚を所定層厚に規制する層厚規制部材と、前記層厚規制部材を所定の位置に固定する螺子部材を具備する現像装置において、前記螺子部材は、前記層厚規制部材に対して接触する座面上に接着剤が塗布されているものとする。ここで、前記層厚規制部材は、前記現像剤担持体に所定の間隙で配設されていることを特徴とする。【選択図】　　　図２
2004078006.tif 000002
【特許請求の範囲】
【請求項１】
少なくとも現像剤担持体と、前記現像剤担持体上に担持された現像剤の層厚を所定層厚に規制する層厚規制部材と、前記層厚規制部材を所定の位置に固定する螺子部材を具備する現像装置において、
前記螺子部材は、前記層厚規制部材に対して接触する座面上に接着剤が塗布されていることを特徴とする現像装置。
【請求項２】
前記層厚規制部材は、前記現像剤担持体に所定の間隙で配設されていることを特徴とする請求項１記載の現像装置。
【請求項３】
前記螺子部材に塗布されている接着剤は、前記螺子部材を前記層厚規制部材に圧接することで接着機能を発揮することを特徴とする請求項１記載の現像装置。
【請求項４】
少なくとも像担持体と、前記像担持体を担持する帯電手段と、前記帯電手段に対して接触当接するクリーニング部材と、前記クリーニング部材を所定の位置に固定する螺子部材を具備する帯電装置において、
前記螺子部材は、前記クリーニング部材に対して接触する座面上に接着剤が塗布されていることを特徴とする帯電装置。
【請求項５】
前記螺子部材に塗布されている接着剤は、前記螺子部材を前記クリーニング部材に圧接することで接着機能を発揮することを特徴とする請求項４記載の帯電装置。
【請求項６】
少なくとも像担持体とこの周囲に現像装置を具備するプロセスカートリッジにおいて、
前記現像装置は、前記像担持体の周囲に配設され、現像剤を担持する現像剤担持体と、前記現像剤担持体上に担持された現像剤の層厚を所定層厚に規制する層厚規制部材と、前記層厚規制部材を所定の位置に固定する螺子部材を具備し、前記螺子部材は、前記層厚規制部材に対して接触する座面上に接着剤が塗布されていることを特徴とするプロセスカートリッジ。
【請求項７】
少なくとも像担持体とこの周囲に帯電装置を具備するプロセスカートリッジにおいて、
前記帯電装置は、前記像担持体を担持する帯電手段と、前記帯電手段に対して接触当接するクリーニング部材と、前記クリーニング部材を所定の位置に固定する螺子部材を具備し、前記螺子部材は、前記クリーニング部材に対して接触する座面上に接着剤が塗布されていることを特徴とするプロセスカートリッジ。
【発明の詳細な説明】
【０００１】
【発明の属する技術分野】
本発明は、例えば電子写真複写機や電子写真プリンター等の電子写真画像形成装置に使用されるプロセスカートリッジと現像装置及び帯電装置に関する。
【０００２】
ここで、電子写真画像形成装置とは、電子写真画像形成プロセスを用いて記録媒体に画像を形成するものである。
【０００３】
例えば、電子写真複写機、電子写真プリンター（ＬＥＤプリンター、レーザービームプリンター等）、電子写真ファクシミリ装置、電子写真ワードプロセッサーなどが含まれる。
【０００４】
ここで、プロセスカートリッジとは、帯電手段、現像手段、クリーニング手段の少なくとも１つと、画像担持体である電子写真感光ドラムを一体的にカートリッジ化し、このカートリッジを画像形成装置本体に対して着脱可能とするものである。又、現像装置とは、トナー収容部と現像手段を一体的にカートリッジ化し、このカートリッジを画像形成装置本体に対して着脱可能とするものである。
【０００５】
【従来の技術】
従来、電子写真感光体及び帯電手段、現像手段、クリーニング手段等を一体にまとめてカートリッジ化し、このカートリッジを画像形成装置本体に着脱可能とするプロセスカートリッジ方式が採用されている。
【０００６】
このカートリッジ方式により操作性が一層向上され、上記プロセス手段のメンテナンスをユーザ自身が容易に行うことが可能となった。そこで、このカートリッジ方式は画像形成装置本体において広く用いられている。
【０００７】
又、プロセス手段を、寿命が長いものと短いものに分け、それぞれのプロセス手段をカートリッジ化し、主要プロセス手段の寿命に則して使用できるカートリッジ構成も実現されている。例えば、トナー収容部と現像手段を一体的に構成した現像カートリッジ又は電子写真感光体及び帯電手段、クリーニング手段を一体的に構成したドラムカートリッジなどが採用されている。
【０００８】
このようなカートリッジにおいて、従来からの現像方法として、非磁性トナーと磁性キャリアから成る２成分現像剤を用いて、内部に磁石を配置した現像剤担持体（以下、現像スリーブとも言う）の表面に磁気ブラシとして形成させ、その現像スリーブと微小な現像間隙を保持して対向させた感光体ドラムにこの磁気ブラシを摺擦又は近接させ、そして、現像スリーブと感光体ドラムの間に連続的に電界を印加することによって、トナー粒子の現像スリーブ側から感光体ドラム側へ転位及び逆転位を繰り返し行わせて現像を行う、所謂磁気ブラシ現像法が知られている。
【０００９】
尚、２成分現像剤の磁気ブラシの層厚を規制するための層厚規制部材（以下、ブレードとも言う）としては、非磁性若しくは磁性材料から成る板状の金属部材が用いられているが、その現像スリーブに対向する面が現像スリーブの略中心に向いている構成とした方が磁気ブラシの層厚を決定するギャップ（以下、ＳＢギャップとも言う）の調整が容易であるため、このような構成は従来から広く用いられている。
【００１０】
【発明が解決しようとする課題】
現像スリーブと層厚規制部材が互いに金属材料であり、ＳＢギャップが非常に小さい（１５０〜３００μｍ）であるため、物流時に、接触若しくは衝突し、現像スリーブに傷が付いたり、層厚規制部材が移動したりする可能性がある。層厚規制部材が移動することでＳＢギャップが変動する。現像スリーブ傷やＳＢギャップの変動は、画像の質を低下させるものである。
【００１１】
本発明は上記問題に鑑みてなされたもので、その目的とする処は、現像スリーブと層厚規制部材の接触若しくは衝突した際に層厚規制部材の移動を防止し、ＳＢギャップを一定に保つことで、出荷時における欠陥品の発生を抑制することができる現像装置、帯電装置及びプロセスカートリッジを提供することにある。
【００１２】
【課題を解決するための手段】
上記目的を達成するため、本発明は、少なくとも現像剤担持体と、前記現像剤担持体上に担持された現像剤の層厚を所定層厚に規制する層厚規制部材と、前記層厚規制部材を所定の位置に固定する螺子部材を具備する現像装置において、前記螺子部材は、前記層厚規制部材に対して接触する座面上に接着剤が塗布されていることを特徴とする。
【００１３】
又、本発明は、少なくとも像担持体と、前記像担持体を担持する帯電手段と、前記帯電手段に対して接触当接するクリーニング部材と、前記クリーニング部材を所定の位置に固定する螺子部材を具備する帯電装置において、前記螺子部材は、前記クリーニング部材に対して接触する座面上に接着剤が塗布されていることを特徴とする。
【００１４】
更に、本発明は、少なくとも像担持体とこの周囲に現像装置を具備するプロセスカートリッジにおいて、前記現像装置は、前記像担持体の周囲に配設され、現像剤を担持する現像剤担持体と、前記現像剤担持体上に担持された現像剤の層厚を所定層厚に規制する層厚規制部材と、前記層厚規制部材を所定の位置に固定する螺子部材を具備し、前記螺子部材は、前記層厚規制部材に対して接触する座面上に接着剤が塗布されていることを特徴とする。
【００１５】
【発明の実施の形態】
以下、カラー電子写真画像形成装置を図面に沿って説明する。以下の説明で長手方向とは記録媒体５２の搬送方向に直交する方向で、電子写真感光体（以下、感光ドラム２）の軸線方向と同一な方向を言う。又、左右とは記録媒体５２の搬送方向から見ての左右である。更に、上、下はカートリッジの装着状態における、上、下である。
【００１６】
［画像形成装置の全体の説明］
先ず、カラー電子写真画像形成装置の全体構成について図１を参照して概略説明する。
【００１７】
図１はカラートナー画像形成装置の一形態であるカラーレーザービームプリンタの全体構成説明図である。
【００１８】
このカラーレーザービームプリンタの画像形成部は、像担持体である感光ドラム２を備えた４つのプロセスカートリッジ１Ｙ，１Ｍ，１Ｃ，１Ｋ　　（イエロー色、マゼンタ色、シアン色、ブラック色）と、このプロセスカートリッジ１Ｙ，１Ｍ，１Ｃ，１Ｋの上方に、各色に対応した露光手段５１Ｙ，　５１Ｍ，　５１Ｃ，　５１Ｋ（レーザビーム光学走査系）がそれぞれ並列配置されている。
【００１９】
上記画像形成部の下方には、記録媒体５２を送り出す給送手段と、感光ドラム２上に形成されたトナー像を転写する中間転写ベルト５４ａ及び中間転写ベルト５４ａ上のトナー像を記録媒体５２に転写する２次転写ローラ５４ｄが配置されている。
【００２０】
更に、トナー画像を転写された記録媒体５２を定着する定着手段、記録媒体５２を装置外へ排出し積載する排出手段が配置されている。
【００２１】
ここで、記録媒体５２としては、例えば用紙、ＯＨＰシート或は布等である。
【００２２】
本実施の形態に係る画像形成装置はクリーナレスシステムの装置であり、感光ドラム２上に残存した転写残トナーは現像手段に取り込んでおり、転写残トナーを回収貯蔵する専用のクリーナーはプロセスカートリッジ内には配置していない。
【００２３】
次に、上記画像形成装置の各部の構成について順次詳細に説明する。
【００２４】
［給紙部］
給紙部は、画像形成部へ記録媒体５２を給送するものであり、複数枚の記録媒体５２を積載収納した給送カセット５３ａと、給送ローラ５３ｂ、重送防止のリタードローラ５３ｃ、給送ガイド５３ｄ、レジストローラ５３ｇから主に構成される。
【００２５】
給送ローラ５３ｂは画像形成動作に応じて駆動回転し、給送カセット５３ａ内の記録媒体５２を１枚ずつ分離給送する。記録媒体５２は、給送ガイド５３ｄによってガイドされ、搬送ローラ３ｅ，３ｆを経由してレジストローラ５３ｇに搬送される。
【００２６】
記録媒体５２が搬送された直後は、レジストローラ５３ｇは回転を停止しており、このニップ部に突き当たることにより記録媒体５２は斜行が矯正される。
【００２７】
画像形成動作中にレジストローラ５３ｇは、記録媒体５２を静止待機させる非回転の動作と、記録媒体５２を中間転写ベルト５４ａに向けて搬送する回転の動作とを所定のシーケンスで行い、次工程である転写工程時のトナー像と記録媒体５２との位置合わせを行う。
【００２８】
［プロセスカートリッジ］
プロセスカートリッジ１Ｙ，１Ｍ，１Ｃ，１Ｋは、像担持体である感光ドラム２の周囲に、帯電手段と現像手段を配置し、一体的に構成している。そして、このプロセスカートリッジは装置本体に対して、ユーザが容易に取り外しでき、感光ドラム２が寿命に至った場合に交換する。
【００２９】
本実施の形態においては、例えば、感光ドラム２の回転回数をカウントし、所定カウント数を超えた場合に、プロセスカートリッジが寿命に至ったことを報知するようにしている。
【００３０】
本実施の形態の感光ドラム２は負帯電の有機感光体で、直径約３０ｍｍのアルミニウム製のドラム基体上に、通常用いられる感光体層を有しており、最表層に電荷注入層を設けている。そして、所定のプロセススピード、本実施の形態では約１１７ｍｍ／ｓｅｃで回転駆動される。
【００３１】
電荷注入層は、絶縁性樹脂のバインダーに導電性微粒子として、例えばＳｎＯ２　超微粒子を分散した材料の塗工層を用いている。
【００３２】
図４に示すように、感光ドラム２の奥側端部にはドラムフランジ２ｂが固定され、手前端部には非駆動フランジ２ｄが固定されている。ドラムフランジ２ｂと非駆動フランジ２ｄの中心にはドラム軸２ａが貫通しており、ドラム軸２ａとドラムフランジ２ｂ及び非駆動フランジ２ｄは一体となって回転される。即ち、感光ドラム２はドラム軸２ａの軸を中心に回転される。
【００３３】
ドラム軸２ａの手前側端部は軸受２ｅに回転自在に支持され、軸受２ｅは軸受ケース２ｃに対して固定されている。そして、軸受ケース２ｃはプロセスカートリッジのフレームに対して固定されている。
【００３４】
［帯電手段］
帯電手段は接触帯電方法を用いたものである。本実施の形態においては、帯電部材として帯電ローラ３ａを用いている。
【００３５】
図２に示すように、この帯電ローラ３ａは芯金３ｂの両端部をそれぞれ不図示の軸受部材により回転自在に保持させると共に、押しバネ３ｄによって感光ドラム方向に付勢して感光ドラム２の表面に対して所定の押圧力をもって圧接させており、感光ドラム２の回転に従動して回転する。
【００３６】
３ｃは帯電ローラクリーニング部材であり、本実施の形態では、可撓性を持つクリーニングフィルムである。このクリーニングフィルム３ｅ帯電ローラ３ａの長手方向に並行に配置され、且つ、同長手方向に対し一定量の往復運動をする支持部材３ｆに一端を固定され、自由端側近傍の面において帯電ローラ３ａと接触ニップを形成するように配置されている。支持部材３ｆが図示しない駆動手段により長手方向に一定量往復駆動されて帯電ローラ表面がクリーニングフィルム３ｅで摺擦される。これにより帯電ローラ表面の付着物（微粉トナー、外添剤等）の除去がなされる。
【００３７】
尚、本実施の形態に係る画像形成装置はクリーナレスシステムを採用している。このクリーナレスシステムに関して説明する。
【００３８】
［クリーナレスシステム］
本実施の形態に係る画像形成装置におけるクリーナレスシステムの概要を先ず説明すると、転写後の感光ドラム２上の転写残トナーを、引き続く感光ドラムの回転に伴い帯電部ａ、露光部ｂを通過させ現像部ｃに持ち運び、現像装置により現像同時クリーニング（回収）するものである。
【００３９】
感光ドラム２面上の転写残トナーは露光部ｂを通るので、露光工程はその転写残トナー上からなされるが、転写残トナーの量は少ないため、大きな影響は現れない。
【００４０】
ただ転写残トナーには正規極性のもの、逆極性のもの（反転トナー）、帯電量が少ないものが混在しており、その内の反転トナーや帯電量が少ないトナーが帯電部ａを通過する際に帯電ローラ３ａに付着することで帯電ローラ３ａが許容以上にトナー汚染して帯電不良を生じることになる。
【００４１】
又、感光ドラム面上の転写残トナーの現像装置による現像同時クリーニングを効果的に行わせるためには、現像部ｃに持ち運ばれる感光ドラム上の転写残トナーの帯電極性が正規極性であり、且つ、その帯電量が現像装置によって感光ドラムの静電潜像を現像できる帯電量であることが必要である。反転トナーや帯電量が適切でないトナーについては感光ドラム上から現像装置に除去・回収できず、不良画像の原因となってしまう。
【００４２】
又、近年のユーザニーズの多様化に伴い、写真画像等といった高印字率の画像等の連続印字動作等により、一度に大量の転写残トナーが発生し、上述したような問題を更に助長させてしまうのである。
【００４３】
そこで、本実施の形態においては、転写部ｄよりも感光ドラム下流側の位置において、感光ドラム２の転写残トナーを均一化するための、転写残トナー（残留現像剤像）均一化手段３ｇを設け、この転写残トナー均一化手段３ｇよりも感光ドラム回転方向下流側で帯電部ａよりも感光ドラム回転方向上流側の位置において、転写残トナーの帯電極性を正規極性である負極性に揃えるためのトナー（現像剤）帯電制御手段３ｈを設けている。
【００４４】
転写残トナー均一化手段３ｇを設けることにより、転写部ｄからトナー帯電制御手段３ｈへ持ち運ばれる感光ドラム上のパターン上の転写残トナーはトナー量が多くても、そのトナーが感光ドラム面に分散分布化され、非パターン化されるので、トナー帯電制御手段３ｈの一部にトナーが集中することがなくなり、該トナー帯電制御手段３ｈによる転写残トナーの全体的な正規極性帯電化処理が常に十分になされて、転写残トナーの帯電ローラ３ａへの付着防止が効果的になされる。又、転写残トナー像パターンのゴースト像の発生も防止される。
【００４５】
本実施の形態では、上記転写残トナー均一化手段３ｇとトナー帯電制御手段３ｈは、適度の導電性を持ったブラシ状部材であり、ブラシ部を感光ドラム面上に接触させて配置してある。
【００４６】
又、これらの手段は、図示しない駆動源により感光ドラムの長手方向に移動（往復運動）するようになっている。このようにすることで、転写残トナー均一化手段３ｇとトナー帯電制御手段３ｈが感光ドラム上で同一個所に位置し続けることがなくなり、例えばトナー帯電制御手段３ｈの抵抗ムラによる過帯電部、帯電不足部が存在したとしても、常に同じ感光ドラム面部分で起こる訳ではないため、極小的な転写残トナーの過帯電によって感光ドラム上に融着が発生すること、又、帯電不足によって帯電ローラ３ａに転写残トナーが付着することが防止或は緩和される。
【００４７】
［露光手段］
本実施の形態においては、上記感光ドラム２への露光は、レーザー露光手段を用いて行っている。即ち、装置本体から画像信号が送られてくると、この信号に対応して変調されたレーザー光Ｌが、感光ドラム２の一様帯電面に対して走査露光される。そして、感光ドラム２面には画像情報に対応した静電潜像が選択的に形成される。
【００４８】
レーザー露光手段は、固体レーザー素子（不図示）、ポリゴンミラー５１ａ、結像レンズ５１ｂ、反射ミラー５１ｃ等から構成されている。入力された画像信号に基づき発光信号発生器（不図示）により固体レーザー素子が所定タイミングでＯＮ／ＯＦＦ発光制御される。固体レーザー素子から放射されたレーザー光Ｌは、コリメーターレンズ系（不図示）により略平行な光束に変換され、高速回転するポリゴンミラー５１ａにより走査される。そして、結像レンズ５１ｂ、反射ミラー５１ｃを介して感光ドラム２にスポット状に結像される。
【００４９】
このように感光ドラム２面上には、レーザー光走査による主走査方向の露光と、更に感光ドラム２が回転することによる副走査方向の露光がなされ、画像信号に応じた露光分布が得られる。
【００５０】
即ち、レーザー光Ｌの照射及び非照射により、表面電位が落ちた明部電位と、そうでない暗部電位が形成される。そして、明部電位と暗部電位間のコントラストにより、画像情報に対応した静電潜像が形成される。
【００５１】
［現像手段］
現像手段である現像装置４は、２成分接触現像装置（２成分磁気ブラシ現像装置）であり、図２に示すように、マグネットローラ４ｂを内包した現像剤担持体である現像スリーブ４ａ上にキャリアとトナーから成る現像剤を保持している。現像スリーブ４ａには所定間隙を有して、規制ブレード４ｃが設けられ、現像スリーブ４ａの矢印方向への回転に伴い、現像スリーブ４ａ上に薄層の現像剤を形成する。
【００５２】
現像スリーブ４ａは、図４に示すように、その両側の縮径されたジャーナル部４ａ１にスペーサ４ｋを回転可能に嵌合させることで感光ドラム２と所定間隙を有するように配置され、現像時においては現像スリーブ４ａ上に形成された現像剤が、感光ドラム２に対して接触する状態で現像できるように設定されている。現像スリーブ４ａは現像部において感光ドラム２の回転方向に対してカウンター方向である矢示の時計方向に所定の周速度で回転駆動される。
【００５３】
本実施の形態において用いたトナーは、平均粒径６μｍのネガ帯電トナーを用い、磁性キャリアとしては飽和磁化が２０５ｅｍｕ／ｃｍ３　の平均粒径３５μｍの磁性キャリアを用いた。又、トナーとキャリアを重量比６：９４で混合したものを現像剤として用いている。
【００５４】
現像剤が循環している現像剤収納部４ｈは、両端部を除いて長手方向の隔壁４ｄで２つに仕切られている。そして、撹拌スクリュー４ｅＡ，　４ｅＢがこの隔壁４ｄを挟んで配置されている。
【００５５】
トナー補給容器から補給されたトナーは、図４に示すように、撹拌スクリュー４ｅＢの奥側に落下し、長手方向の前側に送られながら撹拌され、前側端の隔壁４ｄのない部分を通過する。そして、撹拌スクリュー４ｅＡで更に長手方向の奥側に送られ、奥側の隔壁４ｄのない部分を通り、撹拌スクリュー４ｅＢで送られながら撹拌され、循環を繰り返している。
【００５６】
ここで、感光ドラム２に形成された静電潜像を、現像装置４を用いて２成分磁気ブラシ法により顕像化する現像工程と現像剤の循環系について説明する。
【００５７】
現像スリーブ４ａの回転に伴い、現像容器内の現像剤がマグネットローラ４ｂの汲み上げ極で現像スリーブ４ａ面に汲み上げられて搬送される。
【００５８】
その搬送される過程において、現像剤は現像スリーブ４ａに対して垂直に配置された規制ブレード４ｃによって層厚が規制され、現像スリーブ４ａ上に薄層現像剤が形成される。薄層現像剤が現像部に対応する現像極に搬送されると、磁気力によって穂立ちが形成される。感光ドラム２面の静電潜像は、この穂状に形成された現像剤中のトナーによってトナー像として現像される。本実施の形態においては、静電潜像は反転現像される。
【００５９】
現像部を通過した現像スリーブ４ａ上の薄層現像剤は引き続き現像スリーブ４ａの回転に伴い現像容器内に入り、搬送極の反発磁界によって現像スリーブ４ａ上から離脱して現像容器内の現像剤溜りに戻される。
【００６０】
現像スリーブ４ａには、不図示の電源から直流（ＤＣ）電圧及び交流（ＡＣ）電圧が印加される。本実施の形態では、−５００Ｖの直流電圧と、周波数２０００Ｈｚでピーク間電圧１５００Ｖの交流電圧が印加され、感光ドラム２の露光部にのみ選択的に現像している。
【００６１】
一般に２成分現像法においては交流電圧を印加すると現像効率が増し、画像は高品位になるが、逆にかぶりが発生し易くなるという危険も生じる。このため、通常、現像スリーブ４ａに印加する直流電圧と感光ドラム２の表面電位間に電位差を設けることによって、かぶりを防止することを実現している。より具体的には、感光ドラム２の露光部の電位と非露光部の電位との間の電位のバイアス電圧を印加している。
【００６２】
現像によりトナーが消費されると、現像剤中のトナー濃度が低下する。本実施の形態では、撹拌スクリュー４ｅＢの外周面に近接した位置にトナー濃度を検知するセンサー４ｇを配置している。現像剤内のトナー濃度が所定の濃度レベルよりも低下したことをセンサー４ｇで検知すると、トナー補給容器から現像装置４内にトナーを補給する命令が出される。このトナー補給動作により現像剤のトナー濃度が常に所定のレベルに維持管理される。
【００６３】
［トナー補給容器］
トナー補給容器５Ｙ，　５Ｍ，　５Ｃ，　５Ｋは、プロセスカートリッジ１Ｙ，１Ｍ，１Ｃ，１Ｋの上方に並列配置されており、装置本体１００正面より装着される。
【００６４】
図２に示すように、トナー補給容器の内部に撹拌軸５ｃに固定された撹拌板５ｂとスクリュー５ａが配置され、容器底面にはトナーを排出する排出開口部５ｆが形成されている。スクリュー５ａと撹拌軸５ｃは、図５に示すように、その両端を軸受５ｄで回転可能に支持され、片方の最端部には駆動カップリング（凹）５ｅが配置されている。駆動カップリング（凹）５ｅは装置本体の駆動カップリング（凸）６２ｂから駆動伝達を受け、回転駆動される。スクリュー５ａの外形部は、螺旋リブ形状となっており、排出開口部５ｆを中心に、螺旋の捩れ方向を反転させている。
【００６５】
駆動カップリング（凸）６２ｂの回転により、所定の回転方向にスクリューは回転される。そして、排出開口部５ｆに向かってトナーは搬送され、排出開口部５ｆの開口よりトナーを自由落下させ、プロセスカートリッジにトナーを補給する。撹拌板の回転半径方向の先端部は傾斜しており、トナー補給容器の壁面と摺接する際には、上記先端部はある角度をもって当接される。具体的には、撹拌板の先端側は捩られて、螺旋状態になる。このように、撹拌板の先端側が捩れ傾斜することにより軸方向への搬送力が発生し、トナーが長手方向に送られる。
【００６６】
尚、本実施の形態のトナー補給容器は、２成分現像法に限らず、１成分現像法を用いるプロセスカートリッジ又は現像カートリッジにおいても補給可能であり、又、トナー補給容器内に収納される粉体は、トナーだけに限らず、トナー及び磁性キャリアが混合された所謂現像剤であっても良いことは言うまでもない。
【００６７】
［転写手段］
転写手段である中間転写ユニット５４は、感光ドラム２から順次に１次転写されて重ねられた複数のトナー像を、一括して記録媒体５２に２次転写するものである。
【００６８】
中間転写ユニット５４は、矢印方向に走行する中間転写ベルト５４ａを備えており、矢印の時計方向に感光ドラム２の外周速度と略同じ周速度で走行している。この中間転写ベルト５４ａは、周長約９４０ｍｍの無端状ベルトであり、駆動ローラ５４ｂ、２次転写対向ローラ５４ｇ、従動ローラ５４ｃの３本のローラにより掛け渡されている。
【００６９】
更に、中間転写ベルト５４ａ内には、転写帯電ローラ５４ｆＹ，　５４ｆＭ，　５４ｆＣ，　５４ｆＫがそれぞれ感光ドラム２の対向位置に回転可能に配置され、感光ドラム２の中心方向に加圧されている。
【００７０】
転写帯電ローラ５４ｆＹ，　５４ｆＭ，　５４ｆＣ，　５４ｆＫは不図示の高圧電源より給電され、中間転写ベルト５４ａの裏側からトナーと逆極性の帯電を行い、感光ドラム２上のトナー像を順次中間転写ベルト５４ａの上面に１次転写する。
【００７１】
２次転写部には転写部材として２次転写ローラ５４ｄが、２次転写対向ローラ５４ｇに対向した位置で中間転写ベルト５４ａに圧接している。２次転写ローラ５４ｄは、図示上下に揺動可能で且つ回転する。このとき同時に中間転写ベルト５４ａには、バイアスが印加されるので中間転写ベルト５４ａ上のトナー像は記録媒体５２に転写される。
【００７２】
ここで、中間転写ベルト５４ａと２次転写ローラ５４ｄは各々駆動されている。記録媒体５２が２次転写部に突入すると、所定のバイアスが２次転写ローラ５４ｄに印加され、中間転写ベルト５４ａ上のトナー像は記録媒体５２に２次転写される。
【００７３】
このとき、両者に挟まれた状態の記録媒体５２は転写工程が行われると同時に、図示左方向に所定の速度で搬送され、次工程である定着器５６に向けて搬送される。
【００７４】
転写工程の最下流側である中間転写ベルト５４ａの所定位置には、中間転写ベルト５４ａの表面に接離可能なクリーニングユニットが設けてあり、２次転写後に残った転写残トナーを除去する。
【００７５】
クリーニングユニット５５内には、転写残トナーを除去するためのクリーニングブレード５５ａが配置されている。クリーニングユニット５５は不図示の回転中心で揺動可能に取り付けられており、クリーニングブレード５５ａは中間転写ベルト５４ａに食い込む方向に圧接している。クリーニングユニット５５内に取り込まれた転写残トナーは、送りスクリュー５５ｂにより廃トナータンク（不図示）へ搬送され貯蔵される。
【００７６】
ここで、中間転写ベルト５４ａとしてはポリイミド樹脂から成るものを用いることができる。その他の材質としてはポリイミド樹脂に限定されるものではなく、ポリカーボネイト樹脂や、ポリエチレンテレフタレート樹脂、ポリフッ化ビニリデン樹脂、ポリエチレンナフタレート樹脂、ポリエーテルエーテルケトン樹脂、ポリエーテルサルフォン樹脂、ポリウレタン樹脂等のプラスチックや、フッ素系、シリコン系のゴムを好適に用いることができる。
【００７７】
［定着部］
前記現像手段によって感光ドラム２に形成されたトナー像は、中間転写ベルト５４ａを介して記録媒体５２上に転写される。そして、定着器５６は、記録媒体５２に転写されたトナー像を熱を用いて記録媒体５２に定着させる。
【００７８】
図１に示すように、定着器５６は、記録媒体５２に熱を加えるための定着ローラ５６ａと記録媒体５２を定着ローラ５６ａに圧接させるための加圧ローラ５６ｂを備えており、各ローラは中空ローラである。その内部にそれぞれヒータ（不図示）を有している。そして、回転駆動されることによって同時に記録媒体５２を搬送する。
【００７９】
即ち、トナー像を保持した記録媒体５２は定着ローラ５６ａと加圧ローラ５６ｂとにより搬送されると共に、熱及び圧力を加えられることによりトナー像が記録媒体５２に定着される。定着後の記録媒体５２は、排出ローラ５３ｈ，５３ｊにより排出され、装置本体１００上のトレー５７に積載される。
【００８０】
［プロセスカートリッジ及びトナー補給容器の装着］
次に、プロセスカートリッジ及びトナー補給容器の装着手順を図２〜図４及び図５を用いて説明する。装置本体１００の正面には、開閉自在な前ドア５８が配置されており、この前ドア５８を手前に開くと、プロセスカートリッジ及びトナー補給容器を挿入する開口部が露出される。
【００８１】
プロセスカートリッジを挿入する開口部には、回動可能に支持された芯決め板５９が配置されており、プロセスカートリッジを挿抜する場合は、この芯決め板５９を開放した後に行う。
【００８２】
装置本体１００内には、プロセスカートリッジの装着を案内するガイドレール６０と、トナー補給容器の装着を案内するガイドレール６１が固定されている。
【００８３】
プロセスカートリッジ及びトナー補給容器の装着方向は、感光ドラム２の軸線方向と平行な方向であり、ガイドレール６０，６１も同様な方向に配置されている。プロセスカートリッジ及びトナー補給容器は、一旦、上記ガイドレール６０，６１に沿って装置本体１００内の手前から奥側にスライドされ挿入される。
【００８４】
プロセスカートリッジが最奥部まで挿入されると、ドラムフランジ２ｂの中心穴２ｆに装置本体の芯決め軸６６が挿入され、感光ドラム２の奥側の回転中心位置が装置本体に対して決められる。又、これと同時にドラムフランジ２ｂに形成された駆動伝達部２ｇと駆動カップリング（凸）６２ａが連結され、感光ドラム２の回転駆動が可能となる。本発明で用いた駆動伝達部２ｇはねじれた三角柱形状をなしており、本体からの駆動力が加わることで駆動が伝達されると共に、感光ドラム２を奥側に引き込む力を発生させている。
【００８５】
更に、後側板６５には、プロセスカートリッジを位置決めする支持ピン６３が配置されており、この支持ピン６３がプロセスカートリッジのフレームに挿入され、プロセスカートリッジのフレームの位置が固定される。
【００８６】
装置本体１００の手前側には、回動可能な芯決め板５９が配置されており、この芯決め板５９に対してプロセスカートリッジの軸受ケース２ｃが支持固定される。これら一連の挿入動作により、感光ドラム２とプロセスカートリッジは装置本体に対して位置決めされる。
【００８７】
一方、トナー補給容器は最奥部まで挿入されると、後側板６５から突出した支持ピン６４に対して固定される。又、これと同時に駆動カップリング（凹）５ｅと駆動カップリング（凸）６２ｂが連結され、スクリュー５ａ及び撹拌軸５ｃの回転駆動が可能となる。
【００８８】
【実施例】
次に、本発明の実施例について図５〜図７を用いて説明する。
【００８９】
ビス８０は、ＴＰ小ネジであり、非磁性であるステンレスから構成されている。ビス８０は、ネジ部８０ｂと座面８０ａを有しており、ネジ部のみならず座面にも接着剤が塗布されている。使用される接着剤は、エポキシ樹脂系であり、微小のカプセルに封入されており、ビス締結時にカプセルが破壊され、接着効果を発揮する。尚、ビスの種類、接着剤の種類は、ＴＰ小ネジ、エポキシ樹脂に限らず、同様の効果を得るものであれば、種類を問わない
又、２成分現像方式であるため、規制ブレード４ｃは現像スリーブ４ａと、１５０〜３００μｍの微小な間隙を一定に保つ必要がある。そして、キャリアの付着を防止するために、規制ブレードの表面４ｃ１は非磁性であり、それに併せて、ビス８０も非磁性である。現像スリーブ４ａの内部に在するマグネットローラ４ｂの撓み、若しくは衝撃によって、規制ブレード４ｃが移動し、変動することが懸念される。このことを解決する手段として、接着剤９０を塗布したビス８０が挙げられる。
【００９０】
ビス８０は、現像容器４ｆに、規制ブレード４ｃを固定するものであり、その際の締め付けトルクは１０〜１２ｋｇｆ・ｃｍである。ビス８０に塗布されている接着剤９０の効果としては、緩みトルクの確保だけでなく、規制ブレード４ｃのＺ方向の移動を防止することである。特に、座面８０ａに塗布されている接着剤９０によって、Ｚ方向の移動が防止できる。本実施の形態は、現像容器４ｆにビットインサート（不図示）が挿入されているが、ビットインサートがない場合は、タップタイトねじを使用することで同様の効果が得られる。
【００９１】
本実施の形態は、２成分現像方式についてのものであるが、１成分接触現像方式においても、規制ブレードが弾性体若しくは薄板板金となり、現像ローラに接触しているだけで規制ブレードを支持する板金を容器に固定する意味では同様である。
【００９２】
更に、帯電装置においても、現像ローラと規制ブレードの関係が、感光体ドラムとクリーニングブレードに変わるだけで、同様の効果が得られる。
【００９３】
【発明の効果】
以上の説明で明らかなように、本発明によれば以下のような効果が得られる。
（１）規制ブレードと固定ビスの接触する面に接着剤が介在することで、規制ブレードが衝撃等で移動することを防止でき、現像スリーブと規制ブレードの間隙が一定に維持することができ、組立から使用時において、カートリッジの品質を保証できる。
（２）接着を行う組立時において、規制ブレードを固定して初めて接着効果が得られることから、作業者への接着剤の付着を防止することができ、作業性に影響を及ぼさない。
【図面の簡単な説明】
【図１】本発明に係る画像形成装置本体の断面図である。
【図２】本発明に係るプロセスカートリッジ及びトナー補給容器の断面図である。
【図３】本発明に係る画像形成装置本体の概略斜視図である。
【図４】本発明に係るプロセスカートリッジの長手断面図である。
【図５】本発明に係る現像スリーブ中心の概略断面図である。
【図６】本発明に係る現像装置（現像容器）の長手概略図である。
【図７】本発明に係るビスの概略図である。
【符号の説明】
１Ｙ，　１Ｍ，　１Ｃ，　１Ｋ　プロセスカートリッジ
２　　　　　感光ドラム
３　　　　　帯電装置
４　　　　　現像装置
５Ｙ，　５Ｍ，　５Ｃ，　５Ｋ　トナー補給容器
５２　　　　記録媒体
５３　　　　給送手段
５４　　　　中間転写ユニット
５５　　　　転写クリーニングユニット
５６　　　　定着器
５７　　　　トレー
５８　　　　前ドア
５９　　　　芯決め板
６０，６１　ガイドレール
６３，６４　支持ピン
６５　　　　後側板
６６　　　　芯決め軸
６７　　　　ピン
６８　　　　凸部
８０　　　　ビス
９０　　　　接着剤
１００　　　装置本体
【図１】
2004078006.tif 000003
【図２】
2004078006.tif 000004
【図３】
2004078006.tif 000005
【図４】
2004078006.tif 000006
【図５】
2004078006.tif 000007
【図６】
2004078006.tif 000008
【図７】
2004078006.tif 000009